(57)【特許請求の範囲】
【請求項１】
円形もしくは多角形の二次元形状になされた底面部と、前記底面部に対して高さ方向に二次元もしくは三次元形状に形成された側面部を含み、前記底面部と側面部とにより立体形状になされた卓上型照明具であって、
前記側面部には自発光素子により形成されて照明光を発する発光機能部と、前記発光機能部の中に当該発光機能部に囲まれるようにして配置され、自発光素子により形成されて文字、図形、もしくは記号を含む表示情報を表示する表示機能部とが形成され、
前記発光機能部を構成する自発光素子が有機ＥＬ素子により構成され、前記有機ＥＬ素子が、光透過性の素材により構成された第１電極、有機ＥＬ発光層、第２電極が積層された構成になされ、前記第１電極を構成する素材よりも低抵抗の素材により構成された導体部が、前記第１電極の一辺に沿って当該第１電極に接続された状態で形成されていることを特徴とする表示機能付卓上型照明具。
【請求項２】
前記表示機能部が、ドットマトリクス型有機ＥＬ素子により構成されていることを特徴とする請求項１に記載された表示機能付卓上型照明具。
【請求項３】
前記表示機能部において表示される前記表示情報が書き込まれる表示メモリと、前記表示メモリから読み出された前記表示情報に基づいて前記表示機能部を表示ドライブするドライブ手段とがさらに収容されていることを特徴とする請求項１または請求項２に記載された表示機能付卓上型照明具。
【請求項４】
前記表示メモリに対して表示情報を書き込むための情報書き込み端子が、前記底面部に形成されていることを特徴とする請求項３に記載された表示機能付卓上型照明具。
【請求項５】
前記発光機能部および表示機能部に発光電力を供給する充電可能な二次電池がさらに収容され、前記二次電池への充電端子が、前記底面部に形成されていることを特徴とする請求項１ないし請求項４のいずれか１項に記載された表示機能付卓上型照明具。
【発明の詳細な説明】
【技術分野】
【０００１】
この発明は、例えばレストランのテーブル上に載置されることで、案内もしくは歓迎等の表示がなされ、また会議場や宴席などのイベント会場において席札等にも利用することができる表示機能付卓上型照明具に関する。
【背景技術】
【０００２】
例えばレストランのテーブル上には飾りを兼ねた卓上型照明具が置かれる場合があり、また会議場や宴席などのイベント会場においては、着席者の氏名等を表示する席札が配置される場合もある。前記したようなレストランやイベント会場において用いるに適した卓上型照明具が、特許文献１および２に開示されている。
【０００３】
特許文献１に開示の卓上型照明具は、光透過性の素材により形成された本体内に、発光ダイオード等の光源が収容され、また前記本体の上部には歓迎等のメッセイジや着席者の氏名などを記載したカードを差し込んで取り付けることができるスリットが形成されている。
【０００４】
また、特許文献２に開示の卓上型照明具は、多数のルーバーが下向きに形成された箱型の本体内に光源を収容し、箱型本体の前面には氏名等が記載された半透明の素材により形成された表示板が着脱可能に取り付けられるように構成されている。
【特許文献１】特開２００５−４７１４５号公報
【特許文献２】特開平７−１５３３１２号公報
【発明の開示】
【発明が解決しようとする課題】
【０００５】
ところで、前記した特許文献１に開示の卓上型照明具においては、利用者ごとにカードを用意し、また適切なメッセイジと着席者の氏名などをその都度カードに印刷する、またはカードに手書きするなどの作業が必要となる。一方、特許文献２に開示の卓上型照明具においても同様に、表示板に対する着席者の氏名等の書き換えと、表示板の付け替えの作業を余儀なくされる。
【０００６】
この発明は、前記特許文献１および２に示された従来の卓上型照明具において必要とされるカードや表示板への書き込みや交換作業を解消しようとするものであり、自発光素子により形成されて照明光を発する発光機能部と、同じく自発光素子により形成されて文字、図形、もしくは記号を表示する表示機能部とを備えることで、テーブル席や宴席などにおける雰囲気や演出効果を一層高めることができる卓上型照明具を提供することを課題とするものである。
【課題を解決するための手段】
【０００７】
前記した課題を解決するためになされたこの発明にかかる表示機能付卓上型照明具は、円形もしくは多角形の二次元形状になされた底面部と、前記底面部に対して高さ方向に二次元もしくは三次元形状に形成された側面部を含み、前記底面部と側面部とにより立体形状になされた卓上型照明具であって、前記側面部には自発光素子により形成されて照明光を発する発光機能部と、前記発光機能部の中に当該発光機能部に囲まれるようにして配置され、自発光素子により形成されて文字、図形、もしくは記号を含む表示情報を表示する表示機能部とが形成され、前記発光機能部を構成する自発光素子が有機ＥＬ素子により構成され、前記有機ＥＬ素子が、光透過性の素材により構成された第１電極、有機ＥＬ発光層、第２電極が積層された構成になされ、前記第１電極を構成する素材よりも低抵抗の素材により構成された導体部が、前記第１電極の一辺に沿って当該第１電極に接続された状態で形成されている点に特徴を有する。
【０００８】
この場合、前記表示機能部は、好ましくはドットマトリクス型有機ＥＬ素子により構成される。
【００１０】
そして、好ましい実施の形態においては、前記した卓上型照明具内には、前記表示機能部において表示される前記表示情報が書き込まれる表示メモリと、前記表示メモリから読み出された前記表示情報に基づいて前記表示機能部を表示ドライブするドライブ手段とがさらに収容された構成にされる。
【００１１】
これに加えて、前記表示メモリに対して表示情報を書き込むための情報書き込み端子が、前記底面部に形成されていることが望ましく、また、前記発光機能部および表示機能部に発光電力を供給する充電可能な二次電池がさらに収容され、前記二次電池への充電端子が、前記底面部に形成されていることが望ましい。
【発明の効果】
【００１２】
前記した構成の表示機能付卓上型照明具によると、有機ＥＬ素子に代表される自発光素子による発光機能部と表示機能部とが備えられているので、前記発光機能部により着席者のテーブル面や宴席を照明することができ、また表示機能部において歓迎等を表すメッセイジ等を表示することで、席の雰囲気や演出効果を一層高めることができる。さらに、前記表示機能部において着席者の氏名等を表示することで、席札としての機能も発揮させることができる。
【００１３】
この場合、表示機能部において表示する着席者へのメッセイジや氏名等を表示メモリに予め書き込んでおくことで、表示機能部において前記メッセイジや氏名等を表示することができる。前記表示メモリへのメッセイジ等の書き込みは、パソコン等からの書き込み指令によって容易に実行することができ、パソコン等で管理する予約のデータベース等を利用して、それぞれに対応した適切なメッセイジおよび氏名を書き込むことも可能である。
【００１４】
したがって、前記した特許文献に示された従来の卓上型照明具のように、カードや表示板を用意して、これにメッセイジや氏名等を書き込み、また使用後に表示板を交換するなどの作業を省略することができる。それ故、その扱いならびに管理等も遥かに容易な表示機能付卓上型照明具を提供することができる。
【発明を実施するための最良の形態】
【００１５】
以下、この発明にかかる表示機能付卓上型照明具について、図に示す実施の形態に基づいて説明する。図１はその基本構成を示したものであり、図１に示す卓上型照明具１においては、四辺形の底面部２とこの底面部の各辺を底辺とした三角形状の側面部３とにより立体形状になされ、いわゆる四角錐を構成している。それぞれが三角形状になされた前記各側面部３の底辺近傍に沿って、有機ＥＬ素子による表示機能部３ａがそれぞれ矩形状に形成されており、前記表示機能部３ａ以外の各側面部３は、同じく有機ＥＬ素子により発光機能部３ｂを形成している。
【００１６】
前記表示機能部３ａは後で詳細に説明するが、有機ＥＬ発光層を挟んだ第１と第２の電極が互いにストライプ状に形成されると共に、これらが互いに直交するように形成されている。これにより、前記第１と第２の電極の交差位置における前記有機ＥＬ発光層がそれぞれ発光画素を形成したドットマトリクス型有機ＥＬ表示機能部を構成している。また、前記発光機能部３ｂは後で詳細に説明するが、有機ＥＬ発光層を挟んだ第１と第２の電極が、互いにベタ電極を構成している。
【００１７】
外観が三角錐に形成された前記卓上型照明具１内には、前記表示機能部３ａおよび発光機能部３ｂを発光駆動する制御ユニット４が収容されている。図２はその制御ユニット４の基本構成をブロック図により示したものであり、端子Ｔ１およびＴ２が照明具１の底面部２に露出するようにして備えられている。
【００１８】
前記端子Ｔ１は充電端子であり、この端子Ｔ１および逆流防止ダイオードＤ１を介して二次電池Ｅ１を充電することができるように構成されている。また端子Ｔ２は情報書き込み端子であり、この端子Ｔ２を介して表示メモリ４ａに対して表示情報を書き込むことができるように構成されている。
【００１９】
前記制御ユニット４には電源スイッチＳ１が備えられ、これは照明具１の底面部２に配置された図示せぬ操作ノブ等によりオン・オフ制御がなされるように構成されている。前記電源スイッチＳ１を介して電池Ｅ１からの駆動電流が、前記表示メモリ４ａ、表示ドライバ４ｂおよび前記発光機能部３ｂに対して供給されるように構成されており、これにより、前記発光機能部３ｂより照明光が発光される。
【００２０】
一方、電池Ｅ１からの駆動電流を受ける表示ドライバ４ｂは、表示メモリ４ａに書き込まれた表示情報を読み出し、これに基づいてドットマトリクス型有機ＥＬ素子により構成された前記表示機能部３ａをドライブするように構成されている。これにより、表示機能部３ａにおいては、表示メモリ４ａに書き込まれた文字、図形、もしくは記号を含む情報が表示される。
【００２１】
前記した表示情報としては、個人の記念日等を祝うメッセージ、例えば「ＨＡＰＰＹ  ＢＩＲＴＨＤＡＹ」と共に氏名を表示するなどが考えられる。また前記照明具を席札として利用する場合においては、必要に応じて個人の肩書きと共に氏名を表示するなどが考えられる。
【００２２】
前記した照明具１は非使用時においては、図２に示すように充電ベースに設置されることで、充電制御部２１より端子Ｔ１を介して前記した二次電池Ｅ１に充電することができる。この場合、情報書き込み端子Ｔ２を介して例えばパソコンにより構成される情報書き込み部２２からのデータが、前記した表示メモリ４ａに書き込むことができるように構成されていることが望ましい。
【００２３】
これにより、パソコン等で管理する予約のデータベース等を利用して、それぞれに対応した適切なメッセイジを編集し、氏名と共に表示メモリ４ａに表示情報を書き込むことができる。
【００２４】
次に図３は、この発明にかかる表示機能付卓上型照明具の他の構成例を示したものであり、図１に示した構成の各部と同一の機能を果たす部分は同一符号で示している。したがって、その詳細な説明は省略する。この図３に示した照明具１においては、角錐の上部を水平方向にカットした角錐台状（裁頭角錐形状）に構成されている。この場合、角錐台の天面５も側面部３と同様の発光機能部とすることができる。
【００２５】
また、この発明にかかる卓上型照明具においては、図には示していないが底面部２を円形にして外観を円錐形に形成させることもでき、さらに円錐形の上部を水平方向にカットした円錐台状（裁頭円錐形状）にした構成のものも好適に採用することができる。
【００２６】
図４は、この発明にかかる卓上型照明具の他の構成例を示したものであり、図１に示した構成の各部と同一の機能を果たす部分は同一符号で示している。したがって、その詳細な説明は省略する。この図４に示した照明具１においては、外観が四角錐状に形成されると共に、四つの稜線部に沿ってコーナ部材６が取り付けられている。このコーナ部材６としては、金属素材または合成樹脂等により形成され、樹脂メッキを施したものなどが採用される。
【００２７】
前記したコーナ部材６は、稜線部に形成される非発光部をカバーして、卓上型照明具の体裁を整えるように構成されている。すなわち、図５にはこの実施の形態において採用される表示機能部３ａと発光機能部３ｂとを形成する有機ＥＬ素子の積層構成例が示されている。なお図５は三角形状に形成された四つの側面部のうちの１つについて示しており、他の三面においても同様に構成されている。
【００２８】
図５における符号７は卓上型照明具の側面部、すなわち有機ＥＬ素子の外側（発光面）を構成するガラス板等で構成される基板を示している。この基板７の裏面には第１電極としての光透過性の素材（例えばＩＴＯ）による透明電極８が成膜されている。この場合、前記した表示機能部３ａを形成する領域は電極がストライプ状に形成され、表示機能部３ａを除く他の発光機能部３ｂはベタ電極として形成されている。
【００２９】
ところで、前記第１電極８を構成する例えばＩＴＯによる透明電極は、その電気抵抗率が１×１０-4Ωｃｍ程度であり、一般の金属材料に比較してその電気抵抗率は２桁程度高い。したがって発光機能部３ｂのように面発光させようとする場合には、透明電極による電圧降下の影響を受けて発光輝度にむらが発生する。すなわち、透明電極８への給電点から離れるにしたがって発光輝度が低下する輝度傾斜が発生する。
【００３０】
このような問題を回避するために、この実施の形態においては、第１電極８を構成する素材よりも低抵抗の素材、例えば金属材料による導体部８ａが、三角形の高さ方向の一辺に沿って、前記第１電極８に接続された状態で形成されている。そして、導体部８ａの下端部にリード線８ｂが接続され、このリード線８ｂを介して発光機能部３ｂを発光させるための駆動電流が供給されるように構成されている。
【００３１】
前記した第１電極８上には、有機ＥＬ発光層９が全面にわたって成膜されている。この有機ＥＬ発光層９は、有機化合物による単一の発光層、あるいはこれに有機正孔輸送層を加えた二層構造、またはさらに有機電子輸送層を加えた三層構造、さらには前記各層間に正孔注入層および電子注入層を挿入した多層構造になされる場合もある。
【００３２】
前記有機ＥＬ発光層９上には、第２電極として機能する例えば金属素材による背面電極１０が成膜されている。この背面電極１０における前記した表示機能部３ａを形成する領域は、前記した第１電極８の表示機能部３ａを形成するストライプ状電極に直交する方向でストライプ状に形成されている。そして、背面電極１０における表示機能部３ａを除く他の発光機能部３ｂはベタ電極として形成されている。
【００３３】
なお、前記背面電極１０におけるベタ電極の一部にはリード線１０ｂが接続され、前記した透明電極８側に接続されたリード線８ｂとにより、両電極間に駆動電流が供給されるように作用する。
【００３４】
前記したように第１電極８および第２電極１０における表示機能部３ａにおいては、ストライプ状の電極が互いに直交するように構成されているので、この交差位置における前記有機ＥＬ発光層９が発光画素となるドットマトリクス型有機ＥＬ素子が構成されている。そして、表示機能部３ａには図２に基づいて説明したとおり、表示メモリ４ａに書き込まれた表示情報が表示ドライバ４ｂによって発光表示されるようになされる。
【００３５】
図５に示した照明具１の側面部を構成する有機ＥＬ素子によると、第１電極８の高さ方向の一辺に沿って低抵抗の導体部８ａが形成されているので、この部分は発光機能部として機能しないことになる。したがって、図４に示すように外観が四角錐状に形成された照明具１の四つの稜線部に沿ってコーナ部材６を取り付けることで、非発光となる導体部８ａをカバーし、卓上型照明具１の体裁を整えることができる。
【００３６】
この発明にかかる照明具において採用される前記した有機ＥＬ素子は、図５に基づいて説明したようににガラス板等の硬質の基板７以外に、例えば可撓性のフィルムなどを基板にして形成させることもできる。図６は、前記したように可撓性フィルムなどの基板上に形成させたフレキシブルタイプの有機ＥＬ素子を利用して照明具１を形成させる例を示している。なお、図６においては図１に示した構成の各部と同一の機能を果たす部分は同一符号で示している。したがって、その詳細な説明は省略する。
【００３７】
図６に示す例においては、四角錐の稜線部となる位置に４本のアングル部材１１を配置し、この４本のアングル部材１１を支えとして、可撓性フィルムを基板として側面部を連続して形成したフレキシブルタイプの有機ＥＬ素子を取り巻くようにして取り付けた構成を示している。
【００３８】
この場合、図には示していないが、側面部を連続して形成した有機ＥＬ素子の第１電極、すなわち前記したＩＴＯ等により形成される透明電極において、その各底辺に対応する位置に一連の金属箔を形成して、これを第１電極への給電部とすることで、ＩＴＯ等の電気抵抗率の高い素材によって引き起こされる発光機能部３ｂにおける輝度傾斜の発生度合いを抑制させることができる。
【００３９】
以上説明した卓上型照明具においては、いずれも外観が多角錐もしくは円錐になされたもの、もしくはこれをベースにしたものについて示したが、この発明にかかる卓上型照明具は、例えば図７に示すような外観構成のものにも採用することができる。
【００４０】
図７に示す例においては、高さ方向の一面（側面３）が円弧状に形成された卓上型照明具の外観構成を示しており、円弧状の面３の底辺近傍に沿って、有機ＥＬ素子による表示機能部３ａが矩形状に形成されている。また、円弧状の面３における前記表示機能部３ａ以外の領域は、同じく有機ＥＬ素子により発光機能部３ｂが形成されている。
【００４１】
なお、図７に示す構成においても、照明具１内には既に説明した図２に例示した制御ユニット４が収容されており、これにより二次電池に対する充電、ならびに表示メモリに対する表示データの書き込みがなされるように構成されている。
【００４２】
図７に示した照明具１の構成においては、例えば席札として利用することで、円弧状に形成された発光機能部３ｂによる発光により卓上を照明することができ、また表示機能部３ａによって着席者の氏名等を表示することができる。
【図面の簡単な説明】
【００４３】
【図１】この発明にかかる卓上型照明具の第１の実施の形態を示した斜視図である。
【図２】卓上型照明具内に収容される制御ユニットの基本構成を示したブロック図である。
【図３】この発明にかかる卓上型照明具の第２の実施の形態を示した斜視図である。
【図４】同じく第３の実施の形態を示した斜視図である。
【図５】図４に示す実施の形態において採用される有機ＥＬ素子の積層構成を示した模式図である。
【図６】この発明にかかる卓上型照明具の第４の実施の形態を示した斜視図である。
【図７】同じく第５の実施の形態を示した斜視図である。
【符号の説明】
【００４４】
１    卓上型照明具
２    底面部
３    側面部
３ａ  表示機能部
３ｂ  発光機能部
４    制御ユニット
４ａ  表示メモリ
４ｂ  表示ドライバ
６    コーナ部材
７    基板
８    第１電極（透明電極）
８ａ  導体部
９    有機ＥＬ発光層
１０  第２電極（背面電極）
１１  アングル部材
２１  充電制御部
２２  情報書き込み部
Ｅ１  二次電池
Ｔ１  充電端子
Ｔ２  情報書き込み端子
【図１】
0004744485.tif 000002
【図２】
0004744485.tif 000003
【図３】
0004744485.tif 000004
【図４】
0004744485.tif 000005
【図５】
0004744485.tif 000006
【図６】
0004744485.tif 000007
【図７】
0004744485.tif 000008